(57)【要約】【課題】容易に乾式構造によりタイルを壁面に取り付けることができるタイル係合金物を提供する。【解決手段】平板状の当接部２１と、当接部２１の下端を略ク字状に折曲して形成した係合部２２と、からなり、係合部２２は、当接部２１の下端を折曲して突出した突出部２２１と、突出部２２１の突出端を下方に折曲した裏足係合部２２２を有し、突出部２２１の横方向の中央付近には、当接部２１から離れる方向に折曲して立ち上げた係止片２２３を有することを特徴とする、タイル係合金物。【選択図】図１
2020020232.tif 000002
【特許請求の範囲】
【請求項１】
平板状の当接部と、
前記当接部の下端を略ク字状に折曲して形成した係合部と、からなり、
前記係合部は、前記当接部の下端を折曲して突出した突出部と、前記突出部の突出端を下方に折曲した裏足係合部を有し、
前記突出部の横方向の中央付近には、前記当接部から離れる方向に折曲して立ち上げた係止片を有することを特徴とする、タイル係合金物。
【請求項２】
請求項１に記載のタイル係合金物において、
前記係止片を複数有し、それぞれの前記係止片の高さが異なることを特徴とする、タイル係合金物。
【請求項３】
請求項１又は請求項２に記載のタイル係合金物を裏足内部に配置した、金物付きタイル。
【請求項４】
壁面材の表面に設けたリブ又はレールに、請求項１又は請求項２に記載のタイル系合金物を裏足内部に配置したタイルを固定した、タイル係合金物を用いた壁構造であって、
前記タイルの前記裏足の上端を前記リブ又は前記レールの上部に係合し、
前記タイル係合金物の前記係止片を前記リブ又は前記レールの下部に係合することを特徴とする、タイル係合金物を用いた壁構造。
【発明の詳細な説明】
【技術分野】
【０００１】
本発明は建物の壁面にタイルを取り付ける際に用いるタイル係合金物、該タイル係合金物を取り付けた金物付きタイル、該タイル係合金物を用いた壁構造およびその構築方法に関するものである。
【背景技術】
【０００２】
壁面をタイル張りで仕上げた建物は高級感があり人気である。
壁面にタイルを配置する工法としては、壁面にモルタルや接着剤を塗布し、モルタル面にタイルを張り付ける湿式タイル工法が一般的であったが、最近は、壁面にステンレス製のレールを配置し、タイルの裏足とレールとを嵌合して配置するカーニバル工法に代表される乾式タイル工法も広く普及している。
【０００３】
また、近年は外壁を押出成形セメント板により構成する建築物が増加している。
押出成形セメント板からなる壁面材は表面にリブを有しており、タイルの裏足を掛止することにより、タイルを表面に配置する（図７）。
このとき、裏足と壁面材との間には接着剤を配置して、接着剤を固化することで、タイルと壁面材とを一体としている。
【発明の概要】
【発明が解決しようとする課題】
【０００４】
しかし、このような従来の押出成形セメント板へのタイルの配置方法には、以下のような課題があった。
（１）接着剤による固定のため、接着剤が劣化して剥がれてしまうと、タイルが剥離するおそれがある。
（２）接着剤による固定のため、１０年毎の外壁全面打診検査が必要となる。
【０００５】
本発明の目的は、容易に乾式構造によりタイルを壁面に取り付けることができるタイル係合金物と、タイル係合金物付きタイル及び、タイル係合金物を用いた壁構造を提供することを目的とする。
【課題を解決するための手段】
【０００６】
上記目的を達成するためになされた本願の第１発明は、平板状の当接部と、前記当接部の下端を略ク字状に折曲して形成した係合部と、からなり、前記係合部は、前記当接部の下端を折曲して突出した突出部と、前記突出部の突出端を下方に折曲した裏足係合部を有し、前記突出部の横方向の中央付近には、前記当接部から離れる方向に折曲して立ち上げた係止片を有することを特徴とする、タイル係合金物を提供する。
本願の第２発明は、第１発明のタイル係合金物において、前記係止片を複数有し、それぞれの前記係止片の高さが異なることを特徴とする、タイル係合金物を提供する。
本願の第３発明は、第１発明又は第２発明のタイル係合金物を裏足内部に配置した、金物付きタイルを提供する。
本願の第４発明は、壁面材の表面に設けたリブ又はレールに、第１発明又は第２発明のタイル係合金物を裏足内部に配置したタイルを固定した、タイル係合金物を用いた壁構造であって、前記タイルの前記裏足の上端を前記リブ又は前記レールの上部に係合し、前記タイル係合金物の前記係止片を前記リブ又は前記レールの下部に係合することを特徴とする、タイル係合金物を用いた壁構造を提供する。
【発明の効果】
【０００７】
本発明は、上記した課題を解決するための手段により、次のような効果の少なくとも一つを得ることができる。
（１）タイルの裏足にタイル係合金物を配置して壁面材のリブ又はレールに係止するものであり、誰でも容易に固定作業を行うことができる。
（２）複数の係止片の突出長さを変えることにより、タイルの裏足の形状や壁面のリブの精度誤差を吸収することができる。
（３）接着剤を用いないため、接着剤が劣化してタイルが剥離するおそれがない。
（４）接着剤を用いない乾式構造のため、１０年毎の外壁全面打診検査が不要となる。
【図面の簡単な説明】
【０００８】
【図１】本発明の壁構造の説明図
【図２】タイル係合金物の説明図
【図３】タイル係合金物の配置状態の説明図
【図４】タイル係合金物を用いたタイルの固定の説明図
【図５】係止片の説明図
【発明を実施するための形態】
【０００９】
以下、図面を参照しながら本発明の実施の形態について説明する。
【実施例】
【００１０】
（１）壁構造の概要
本発明の壁構造は、建物の壁仕上げをタイル１により行うものである。
タイル１は裏足１１内にタイル係合金物２を配置する。そして、建物の壁面材Ｗに設けたリブＲにタイル１の裏足１１とタイル係合金物２とを組み合わせて嵌合することで、建物の壁面材Ｗにタイル１を固定する。（図１）
リブＲは壁面材Ｗと一体成形されており、蟻状に壁面材Ｗから突設している。
【００１１】
（２）タイル
タイル１は平面視矩形の板体である。
タイル１の裏面には水平方向に連続する裏足１１を形成する。
裏足１１の高さ方向の断面は、タイル１の裏面から表面に向けて、タイル１の両外側方向に広がる形状とする。このような形状とすることにより、裏足１１の上端と下端には係合空間１２ができる。
本実施例のタイル１は相じゃくり状としたが、断面視矩形状でもよい。
【００１２】
（３）タイル係合金物
タイル係合金物２は、アルミやステンレスからなる。
タイル係合金物２は、平板状の当接部２１と、当接部２１の下端を略ク字状に折曲して形成した係合部２２と、からなる（図２）。
係合部２２は、当接部２１の下端を折曲して突出した突出部２２１と、突出部２２１の突出端を下方に折曲した裏足係合部２２２を有する。
また、突出部２１１の横方向の中央付近には、当接部２１から離れる方向に折曲して立ち上げた係止片２２３ａ、ｂを設ける。係止片２２３ａ、ｂは複数都市、それぞれの突出長さを、異なるように形成することが好ましい。
【００１３】
（３．１）タイル係合金物の配置
タイル係合金物２は、タイル１の裏足１１内部に配置する（図３）。
タイル係合金物２の当接部２１を裏足１１の深さ方向の底面に当接し、係合部２２の下端の裏足係合部２２２を、裏足１１の下端の係合空間１２に係合することにより、安定した状態で裏足１１内部に配置することができる。
ただし、より安定した状態とするために、当接部２１を裏足１１の深さ方向の底面に接着剤等と用いて固定してもよい。
タイル係合金物２は、一枚のタイル１に少なくとも一個設ける。
【００１４】
（４）タイル係合金物付きタイルの壁面への配置
裏足１１にタイル係合金物２を配置したタイル１（図４ａ）は、裏足１１の上端の係合空間１２をリブＲの上部に係合するように押し当てながら、下部をリブＲに押し込む。
タイル係合金物２の係止片２２３ａ、ｂは、弾性を有し、蟻状のリブＲの下端により突出部２２１側に押し込まれる（図４ｂ）。そして、そして、リブＲの下端を通過すると、弾性により係止片２２３ａ、ｂは元の状態に戻り、リブＲの下部と係合してストッパーとなり、タイル係合金物２と取り付けたタイル１は壁面材Ｗに固定される。
タイル１の裏足１１にタイル係合金物２を配置して壁面材ＷのリブＲに係止するものであり、誰でも容易に固定作業を行うことができる。
また、接着剤を用いない構造のため、接着剤が劣化してタイルが剥離するおそれがない。そして、接着剤を用いない乾式構造のため、１０年毎の外壁全面打診検査が不要となる。
タイル１の裏足１１の形状や、壁面材ＷのリブＲは精度にバラツキがあり、均一な形状ではない。
このため、係止片２２３ａ、ｂの突出長さを異なるように形成する。
例えば裏足１１に対してリブＲが下に位置しており、長い係止片２２３ａがリブＲに押されて立ち上がらない場合であっても、短い係止片２２３ｂが立ち上がって係合する（図５ａ）。また、裏足１１の下部とリブＲとの間隔が大きければ長い係止片２２３ａが立ち上がり係合する（図５ｂ）。
このように、突出長さの異なる係止片２２３ａ、ｂにより、精度誤差を吸収することができる。
【００１５】
上記実施例においては、壁面材ＷにはリブＲを有するが、リブＲの代わりに略同形状のレールを設けて、レールにタイル１およびタイル係合金物２を係止することもできる。
【符号の説明】
【００１６】
１…タイル、１１…裏足、１２…係合空間
２…タイル係合金物、２１…当接部、２２…係合部、２２１…突出部、２２２…裏足係合部、２２３…係止片
【図１】
2020020232.tif 000003
【図２】
2020020232.tif 000004
【図３】
2020020232.tif 000005
【図４】
2020020232.tif 000006
【図５】
2020020232.tif 000007